(57)【要約】      （修正有）【課題】安価であると共に自宅等の室内で供養することができる紙製室内供養墓を提供する。【解決手段】紙製室内供養墓１０は、引出収容ケース体１２と供養墓標１４から構成されている。引出収容ケース体１２の正面には引出１６，１６が出し入れ可能に収容されている。引出収容ケース体１２の天板部２０には供養墓標嵌入凹部２２が形成されている。供養墓標１４は墓標ベース体３０と墓標本体３２とから構成されている。墓標ベース体３０には墓標本体３２の下端部が嵌入される墓標本体嵌入部３４が形成されている。墓標本体３２の内部には骨壺収容部３８が形成されている。【選択図】図１
0003199114.tif 000002
【実用新案登録請求の範囲】
【請求項１】
引出収容ケース体と、この引出収容ケース体に載置される供養墓標と、を備えてなる紙製室内供養墓であって、前記引出収容ケース体に出し入れ可能に設けられた引出と、前記供養墓標を構成すると共に前記引出収容ケース体に載置される墓標ベース体と、この墓標ベース体と前記供養墓標を構成すると共に前記墓標ベース体に着脱可能に載置することができる墓標本体と、この墓標本体の内部に形成された骨壺収容部と、前記墓標本体の正面に形成されて文字や写真等を印刷できる正面板部と、を有してなることを特徴とする紙製室内供養墓。
【請求項２】
引出収容ケース体と、この引出収容ケース体に載置される供養墓標と、を備えてなる紙製室内供養墓であって、前記引出収容ケース体に出し入れ可能に設けられた引出と、前記引出収容ケース体の天板部に形成された墓標ベース体嵌入凹部と、前記供養墓標を構成すると共に前記墓標ベース体嵌入凹部に下端部が嵌入可能な墓標ベース体と、この墓標ベース体に形成された墓標本体嵌入凹部と、前記墓標ベース体と前記供養墓標を構成すると共に前記墓標本体嵌入凹部に下端部が前記墓標本体嵌入凹部に嵌入可能な墓標本体と、この墓標本体の底面に形成された開口部と、前記墓標本体の内部に形成された骨壺収容部と、前記墓標本体の正面に形成されて文字や写真等を印刷できる正面板部と、を有してなることを特徴とする紙製室内供養墓。
【請求項３】
前記引出収容ケース体から前記引出を引き出した場合に前記引出の上に乗せるテーブル板と、引き出した前記引出の下に配置して前記引出を支持する引出支持板と、を備えたことを特徴とする請求項１、請求項２のいずれか１項に記載した紙製室内供養墓。
【考案の詳細な説明】
【技術分野】
【０００１】
本考案は、人間やペットの遺骨を納めた骨壷を収容し、供養する者の自宅等で亡くなった人間やペットを供養することができる紙製室内供養墓に関する。
【背景技術】
【０００２】
少子高齢化社会の現代において、残された遺族の経済的負担や時間的負担を考慮して墓地や供養に費用を掛けない考えが増加すると共に従来のように墓地を求めて墓を建て故人の遺骨を納骨して墓参することにより故人を供養するという考え方にも変化が生じてきている。
また、墓地の狭溢化や墓地の値段の高騰化に伴って、遺骨が納められた骨壺を屋内で供養することができる供養墓標が提案されている（例えば、特許文献１）。
【先行技術文献】
【特許文献】
【０００３】
【特許文献１】実用新案登録第３０５１５１７号
【考案の概要】
【考案が解決しようとする課題】
【０００４】
しかしながら前記供養墓標は寺院等の室内に安置する供養墓標であり個人の自宅等に安置する供養墓ではないと共に個人の住宅等に安置するには大掛かりすぎてしまう。
また、前記供養墓標は青銅やセラミックで形成されているため費用も高くなると共に重く容易に移動させたりすることはできない。
さらに、前記供養墓標においては故人の遺影や故人が好きだった言葉、文字等を墓標に印刷することは困難である。
【課題を解決するための手段】
【０００５】
本考案は、上記の如き実情に鑑みこれらの課題を解決することを目的として創作されたものであり、請求項１の考案は、引出収容ケース体と、この引出収容ケース体に載置される供養墓標と、を備えてなる紙製室内供養墓であって、前記引出収容ケース体に出し入れ可能に設けられた引出と、前記供養墓標を構成すると共に前記引出収容ケース体に載置される墓標ベース体と、この墓標ベース体と前記供養墓標を構成すると共に前記墓標ベース体に着脱可能に載置することができる墓標本体と、この墓標本体の内部に形成された骨壺収容部と、前記墓標本体の正面に形成されて文字や写真等を印刷できる正面板部と、を有してなることを特徴としている。
請求項２の考案は、引出収容ケース体と、この引出収容ケース体に載置される供養墓標と、を備えてなる紙製室内供養墓であって、前記引出収容ケース体に出し入れ可能に設けられた引出と、前記引出収容ケース体の天板部に形成された墓標ベース体嵌入凹部と、前記供養墓標を構成すると共に前記墓標ベース体嵌入凹部に下端部が嵌入可能な墓標ベース体と、この墓標ベース体に形成された墓標本体嵌入凹部と、前記墓標ベース体と前記供養墓標を構成すると共に前記墓標本体嵌入凹部に下端部が前記墓標本体嵌入凹部に嵌入可能な墓標本体と、この墓標本体の底面に形成された開口部と、前記墓標本体の内部に形成された骨壺収容部と、前記墓標本体の正面に形成されて文字や写真等を印刷できる正面板部と、を有してなることを特徴としている。
請求項３の考案は、前記引出収容ケース体から前記引出を引き出した場合に前記引出の上に乗せるテーブル板と、引き出した前記引出の下に配置して前記引出を支持する引出支持板と、を備えたことを特徴としている。
【考案の効果】
【０００６】
本考案の紙製室内供養墓は、亡くなった人間やペットを供養する場合に費用を抑えて供養することができるという優れた効果を有する。
本考案の紙製室内供養墓は、低価格であるので墓を建てるまでの間の仮の墓としても使用できるという優れた効果を有する。
本考案の紙製室内供養墓は、紙製であるので墓標本体等に故人の遺影や故人が好きだった写真等を容易に印刷することができるという優れた効果を有する。
本考案の紙製室内供養墓は、紙製であるので軽量で、持ち運びや移動を容易に行うことができるという優れた効果を有する。
本考案の紙製室内供養墓は、引出収容ケース体に引出が設けられているので、遺品等を保管することができるという優れた効果を有する。
本考案の紙製室内供養墓は、低価格で購入できるため室内供養墓のデザインを変更したい場合等は容易に異なるデザインの室内供養墓を購入することができるという優れた効果を有する。
本考案の紙製室内供養墓は、紙製であるため使用しなくなった後は資源物として容易に処理することができるという優れた効果を有する。
請求項３の紙製室内供養墓は、上記優れた効果の他に引出の上にテーブル板を乗せることによりお供え物等を置くスペースを広くすることができるという優れた効果を有する。
【図面の簡単な説明】
【０００７】
【図１】第１実施例の紙製室内供養墓の全体斜視図である。
【図２】第１実施例の紙製室内供養墓の引出収容ケースの斜視図である。
【図３】第１実施例の紙製室内供養墓の引出収容ケースに墓標ベース体を取り付けた状態の斜視図である。
【図４】第２実施例の紙製室内供養墓の全体斜視図である。
【図５】第１変形例の紙製室内供養墓の全体斜視図である。
【図６】第２変形例の紙製室内供養墓の全体斜視図である。
【図７】第３変形例の紙製室内供養墓の全体斜視図である。
【考案を実施するための形態】
【０００８】
考案を実施するために最良の形態の例として以下のような実施例を示す。
【実施例１】
【０００９】
図１〜図３には紙製室内供養墓の第１実施例が示されている。なお、この実施例では人間の遺骨を納めた骨壺を収容して故人を供養する場合を例にして説明する。
【００１０】
図１に示されるように、この実施例の紙製室内供養墓１０は、引出収容ケース体１２と、この引出収容ケース体１２に載置される供養墓標１４と、から構成されている。この実施例では引出収容ケース体１２と供養墓標１４は共に紙としての段ボール紙で形成されている。
【００１１】
前記引出収容ケース体１２の表面には図示はしないが濃い茶色の木目調模様が印刷されている。
また、前記供養墓標１４の表面には図示はしないが墓石をイメージし易いように墓石にも用いられる御影石の表面模様が印刷されている。なお、供養墓標１４の表面には劣化防止のためにラミネート加工が施されている。  
【００１２】
図２に示されるように、前記引出収容ケース体１２の正面には引出１６，１６が出し入れ可能に収容されている。これら引出１６，１６には供養に必要な数珠や故人の遺影、遺品等を入れておくことができ便利である。
【００１３】
前記引出収容ケース体１２の天板部２０には平面視矩形状の供養墓標嵌入凹部２２が形成されている。
【００１４】
また、前記天板部２０の第１側には連続して第１側面立上板部２４、天板部２０の第２側には連続して第２側面立上板部２６、天板部２０の後側には連続して後面立上板部２８が形成されている。
【００１５】
図１に示されるように、前記供養墓標１４は墓標ベース体３０と墓標本体３２とから構成されている。
【００１６】
図３に示されるように、前記墓標ベース体３０には前記墓標本体３２の下端部が嵌入される墓標本体嵌入部３４が形成されている。
【００１７】
図１に示されるように、前記墓標本体３２は底面に開口部（図示せず）が形成された中空の箱状に形成されており、内部には故人の遺骨を納めた骨壺（図示せず）を収容する骨壺収容部３８が形成されている。
【００１８】
この実施例では、前記墓標本体３２の正面部３２Ａに故人の好きだった「愛」の文字が大きく印刷記載されている。また、前記正面部３２Ａの下部には故人の命日が小さく印刷記載されている。
【００１９】
次に第１実施例の紙製室内供養墓１０の作用について説明する。
実施例の紙製室内供養墓１０は、段ボール紙で形成されていると共に供養する者の自宅の室内等に安置して故人を供養できるため、墓地を購入して墓を建てて故人を供養する場合に比べて低価格で故人を供養することができる。
また、紙製室内供養墓１０は、供養する者の自宅の室内等に安置して故人を供養するため身近に故人を供養することができる。特に足腰の弱くなった高齢者にとっては墓地に行く必要がないので便利であると共に自宅で毎日供養することができる。
【００２０】
しかも、紙製室内供養墓１０の引出収容ケース体１２には引出１６，１６が設けられているため引出１６，１６に数珠や故人の遺影、遺品等を入れておくことができて便利である。
また、紙製室内供養墓１０は、紙製であるので故人の遺影データや故人の好きだった写真データ等があれば容易に墓標本体３２の正面部３２Ａ等に故人の遺影や故人が好きだった写真等を容易に印刷することができ、故人や遺族の要望に応じたオンリーワンの紙製室内供養墓１０を容易かつ安価に製造できる。
また、前記紙製室内供養墓１０は、段ボール紙で形成されているので軽量であるため持ち運びや移動を容易に行うことができる。特に力の弱い高齢者や女性でも持ち運びや移動をスムーズに行うことができる。
また、紙製室内供養墓１０は段ボール紙で形成されているので、低価格であるため紙製室内供養墓１０のデザインを変更したい場合は容易に異なるデザインの紙製室内供養墓１０を購入することができる。
また、紙製室内供養墓１０は上述したように低価格で購入することができるので、墓地を購入して墓を建てる場合において、墓が建つまでの間に故人の骨壺を収容して一時的に供養する場合の供養墓としても使用することができる。
なお、紙製室内供養墓１０は段ボール紙で形成されているので、使用しなくなった後は資源物として容易に処理することができる。
【００２１】
図４には紙製室内供養墓の第２実施例が示されている。なお、第１実施例の紙製室内供養墓１０と同一の構成は同一の符号を用いてその説明は省略する。
図４に示されるように、第２実施例の紙製室内供養墓４０には引出収容ケース体１２から引出１６，１６を引き出した場合に引出１６，１６の上に乗せるテーブル板４２と引出１６，１６の下において引出１６，１６が下方に傾いたりするのを防止する引出支持板４４を付属品として設けられている。
このテーブル板４２と引出支持板４４は、紙としての段ボール紙で一定の厚みを有するようにして形成されている。また、実施例ではテーブル板４２の表面は供養墓標１４と同じ御影石の表面模様が印刷され、引出支持板４４の表面は引出収容ケース体１２と同じ濃い茶色の木目調模様が印刷されている。
【００２２】
従って、紙製室内供養墓４０で故人を供養する場合に引出収容ケース体１２から引出１６，１６を引き出して引出１６，１６の上にテーブル板４２を乗せればお供え物をお供えするスペースを広く持つことができる。
また、命日、盆、彼岸等において供養する場合は線香立、蝋燭立、生花を活けた花瓶、お供物先等を置いて故人を供養することができる。
しかも引出１６，１６の下に引出支持板４４を置くことにより引出１６，１６が下方に傾いてテーブル板４２が傾いたりするのを防止することができる。
なお、他の構成、作用、効果は第１実施例の紙製室内供養墓１０と同一であるので省略する。
【００２３】
図５には紙製室内供養墓１０，４０の第１変形例が示されている。
図５に示されるように、この変形例では前記墓標本体３２の高さ寸法が高く設定されている。従って、高さ寸法の高い骨壺を収容する場合に都合が良いようになっている。
【００２４】
図６には紙製室内供養墓１０，４０の第２変形例が示されている。
図６に示されるように、この紙製室内供養墓１０，４０はペット用の紙製室内供養墓である。従って、前記墓標本体３２の正面部３２Ａには死んだペットの名前と遺影が印刷記載されている。
【００２５】
現代において犬や猫等のペットは、愛玩動物というよりも家族の一員と認識する飼い主も多い。そのため、ペットが亡くなると人間と同じように火葬して動物墓地に埋葬して供養する飼い主も多くいる。
しかし、犬や猫等のペットを埋葬する動物墓地の購入コストも高く、また、動物墓地に埋葬すると毎日のように供養することができない。
従って、紙製室内供養墓１０，４０に死んだペットの遺骨を納めた骨壺を収容することにより、費用を抑えて死んだペットを供養することができると共に紙製室内供養墓１０，４０で毎日供養することができる。
【００２６】
なお、実施例では前記墓標本体３２の正面部３２Ａには故人の好きな言葉や死んだペットの名前、遺影を印刷記載した例を示したが、前記墓標本体３２の正面部３２Ａに印刷記載されるのは好きな言葉、遺影に限定されるものではなく、戒名や俗名等をはじめとする他の文字等でもよいことは勿論である。
【００２７】
また、１つの紙製室内供養墓１０，４０に夫婦の骨壺を一緒に収容したり、故人の骨壺と故人が可愛がっていたペットの遺骨が納められている骨壺を一緒に収容してもよい。この場合、墓標本体３２の正面部３２Ａには故人の名前等、遺影を並んで印刷記載したり、故人とペットの遺影を並んで印刷記載してもよいことは勿論である。
【００２８】
また、図７には紙製室内供養墓１０，４０の第３変形例が示されている。この実施例は前記実施例と異なり前記墓標本体３２の正面部３２Ａには文字や遺影等ではなく故人の好きだった風景写真（この実施例では砂浜の風景写真）を印刷記載している。
【００２９】
なお、実施例では紙製室内供養墓１０，４０を段ボール紙で形成したが、紙であれば段ボール紙に限定されるものでないことは勿論である。
また、実施例では供養墓標１４を構成する墓標ベース体３０と墓標本体３２の表面に御影石の表面模様を印刷したが、墓標ベース体３０と墓標本体３２に印刷する模様は他の模様や無模様でもよいことは勿論である。
なお、実施例では供養墓標１４の表面に劣化防止のためにラミネート加工を施した場合を示したが、引出収容ケース体１２にもラミネート加工を施してもよいし、また、供養墓標１４及び引出収容ケース体１２にラミネート加工を施さなくてもよいことは勿論である。
【符号の説明】
【００３０】
１０    紙製室内供養墓
１２    引出収容ケース体
１４    供養墓標
１６    引出
２０    天板部
２２    供養墓標嵌入凹部
２４    第１側面立上板部
２６    第２側面立上板部
２８    後面立上板部
３０    墓標ベース体
３２    墓標本体
３２Ａ  正面部
３４    墓標本体嵌入部
３８    骨壺収容部
４０    紙製室内供養墓
【図１】
0003199114.tif 000003
【図２】
0003199114.tif 000004
【図３】
0003199114.tif 000005
【図４】
0003199114.tif 000006
【図５】
0003199114.tif 000007
【図６】
0003199114.tif 000008
【図７】
0003199114.tif 000009